(57)【要約】【課題】  汚液の粘度や混入異物の形状・比重が変化してもサイクロン濾過装置を交換をすることなく所定の分離除去能力を確保する汎用性のサイクロン濾過装置を提供する。【解決手段】  円筒部Ｚの下部に異物の取り出し口４を有する円錐筒３を形成した外筒２のサイクロン筒１内に、複数枚の円弧状のしきい板を円周上の複数部位に流通隙間をあけて互い違いに重ねて円筒状に形成されており半径方向に位置可変可能な内筒８と、この内筒と外筒との間に複数枚の円弧状のしきい板を円周上の複数部位に流通隙間をあけて互い違いに重ねて円筒状に形成されており半径方向に位置可変可能な中間筒９を設け、外筒の上部に汚液注入口５と濾過液流出口７とを備え、汚液の粘度、混入異物の形状・比重の変化に応じて内筒及び中間筒の半径方向の位置を変更可能とした。【選択図】        図１
2007054677.tif 000002
【特許請求の範囲】
【請求項１】
円筒部の下部に異物の取り出し口を有する円錐筒を形成した外筒のサイクロン筒内に、複数枚の円弧状のしきい板を円周上の複数部位に流通隙間をあけて互い違いに重ねて円筒状に形成されており半径方向に位置可変可能な内筒と、この内筒と前記外筒との間に複数枚の円弧状のしきい板を円周上の複数部位に流通隙間をあけて互い違いに重ねて円筒状に形成されており半径方向に位置可変可能な中間筒を設け、前記外筒の上部に汚液注入口と濾過液流出口とを備え、汚液の粘度、混入異物の形状・比重の変化に応じて前記内筒及び中間筒の半径方向の位置を変更可能としたことを特徴とするサイクロン濾過装置。
【発明の詳細な説明】
【技術分野】
【０００１】
本発明は、汚液中に混入する異物を遠心分離するサイクロン濾過装置に関するものである。
【背景技術】
【０００２】
液体中の異物を遠心分離して捕集するサイクロン濾過装置は各種の構造のものが提供されている。この各種のサイクロン濾過装置において図７及び図８に示す構造のものが提供されている。すなわち、円筒部Ｚの下部に異物の取り出し口４を有する円錐筒３を形成した外筒２のサイクロン筒１内に、前記外筒２との間に隙間Ｈを有して配置した内筒と８０とによって構成したサイクロン濾過装置である。
【０００３】
このよう遠心力を利用したサイクロン濾過装置では、汚液の粘度や混入異物の形状・比重などから下記のように計算して装置の大きさ（外筒２の半径Ｒ１、内筒８０の半径Ｒ２及び外筒１と内筒２との隙間Ｈ）を決定して製作している。
液沈降深さｈ＝Ｒ１−Ｒ２＝Ｈ
液流れ長さＬ＝（Ｒ１＋Ｒ２）／２＊流路の巻数→円筒部Ｚの長さ
重力加速度ｇ＝サイクロンの遠心力Ｇ
遠心力Ｇ＝１．１２×１０−５×ｒ×ｒｐｍ２
遠心力は回転半径に比例し回転数の二乗に比例する。  
【０００４】
このようなサイクロン濾過装置では、気温の変化や材料の変化などにより汚液の粘度や混入異物の形状・比重が変化すると分離除去能力が低下する。この問題を解決するためには、外筒２の半径Ｒ１若しくは外筒１と内筒２との隙間Ｈを変更して沈降深さｈを変えたサイクロン濾過装置と交換する必要があり、交換作業の手間を要することは勿論、上記計算に基づいた設計変更した数基のサイクロン濾過装置を用意しなくてはならずコスト高を招来している問題があった。
【特許文献１】特開２００１−２０５１３７公報
【特許文献２】特開２００３−０９３９２５公報
【発明の開示】
【発明が解決しようとする課題】
【０００５】
本発明の目的は、汚液の粘度や混入異物の形状・比重が変化してもサイクロン濾過装置を交換をすることなく所定の分離除去能力を確保する汎用性のサイクロン濾過装置を提供することである。
【課題を解決するための手段】
【０００６】
上記の目的を達成するための本発明は、円筒部の下部に異物の取り出し口を有する円錐筒を形成した外筒のサイクロン筒内に、複数枚の円弧状のしきい板を円周上の複数部位に流通隙間をあけて互い違いに重ねて円筒状に形成されており半径方向に位置可変可能な内筒と、この内筒と前記外筒との間に複数枚の円弧状のしきい板を円周上の複数部位に流通隙間をあけて互い違いに重ねて円筒状に形成されており半径方向に位置可変可能な中間筒を設け、前記外筒の上部に汚液注入口と濾過液流出口とを備え、汚液の粘度、混入異物の形状・比重の変化に応じて前記内筒及び中間筒の半径方向の位置を変更可能としたことを特徴とするものである。
【発明の効果】
【０００７】
本発明によると、汚液の粘度、混入異物の形状・比重が変化し分離除去能力が低下した場合に内筒及び中間筒の半径方向の位置を変更することにより所定の分離除去能力を確保することができ、所定の分離除去能力を持ったサイクロン濾過装置に変更することなく一基のサイクロン濾過装置により汚液の粘度、混入異物の形状・比重の変化に応じて追従できる汎用性を有し、サイクロン濾過装置の交換作業の廃止とコスト低減の効果を有している。
【発明を実施するための最良の形態】
【０００８】
以下本発明を実施するための最良の形態について図面に基づいて説明する。図１において、１はサイクロン筒である。このサイクロン筒１は、円筒部Ｚの下部に異物の取り出し口４を有する円錐筒３を形成した外筒２により構成されている。また、前記円筒部Ｚの上方側部に汚液注入口５が設けられており、円筒部Ｚの上部には上蓋６が取り付けられており、この上蓋６の側部に濾過液流出口７が設けられている。
【０００９】
前記サイクロン筒１内には、内筒８と、この内筒８と前記外筒１との間に中間筒９とが配置されている。この内筒８及び中間筒９は、何れも円周上の複数部位に流通隙間８ａ、９ａ（図２参照）があけられており、かつ半径方向に位置可変可能としている。
【００１０】
上記内筒８及び中間筒９の具体的な構成例を図３で内筒８を代表にして説明する。すなわち、円周を複数枚に分割した弾性のある金属又は樹脂材による円弧状のしきい板により円周上の複数部位に流通隙間８ａをあけて互い違いに重ねて円筒状に形成されており、各しきい板の外面に取り付けられているリング１０に伸縮可能なコイルバネ１１により円筒形に固縛している。
【００１１】
この内筒８及び中間筒９を半径方向に位置可変可能とする手段は図４で示すように、中心部でロッド１４により結合した上敷居円板１２及び下敷居円板１３によるものである。  
【００１２】
前記上敷居円板１２は図５で示すように、上敷居板１２の下面にロッド１４を中心とする直径の異なる複数の円溝１２ａを形成しており、周縁の複数箇所にボルト挿通穴１２ｂを有している。また、下敷居板１３は図６で示すように、下敷居板１３の上面にロッド１４を中心とする直径の異なる複数の円溝１３ａを形成している。
【００１３】
前記上敷居円板１２は図４で示すように、上蓋６を円筒部Ｚの上部にフランジ１５でボルト締め付けて結合する際に上敷居円板１２の外周をフランジ１５で挟み込んで円筒部Ｚの上部に固定するものである。
【００１４】
前記内筒８及び中間筒９は、その上端を上敷居円板１２の円溝１２ａに差し込み、下端を下敷居板１３の円溝１３ａに差し込んで上敷居円板１２と下敷居板１３とで挟み込んだ形態となる。
【００１５】
そこで、前記内筒８及び中間筒９の半径を変更するには、上蓋６を円筒部Ｚより取り外し、ロッド１４で連結されている上敷居円板１２と下敷居板１３を円筒部Ｚから取り出してロッド１４を取り外し、内筒８及び中間筒９を任意の円溝１２ａ及び１３ａにセットする。このとき、内筒８及び中間筒９は、円周を複数枚に分割した弾性のある金属又は樹脂材による円弧状のしきい板により互い違いに重ねて円筒状に形成されているため、半径方向に円滑に伸縮して円溝１２ａ及び１３ａの直径に基づいた半径に変更され、かつ、伸縮可能なコイルバネ１１により固縛されているため半径を変更した円筒形を維持する。
【００１６】
このように、内筒８及び中間筒９の半径を変更した後に上敷居円板１２と下敷居板１３をロッド１４で結合し円筒部Ｚ内に挿入して上蓋６を円筒部Ｚ上に被せてボルト締め付けする。
【００１７】
上記本発明のサイクロン濾過装置においては、内筒８及び中間筒９を半径方向に位置可変とした構成であるから、サイクロン筒１内での流量を変化することなく、任意の回転半径を設定することができるので、サイクロン濾過装置を交換させずに流路の回転半径を任意に可変させることができる。
【００１８】
従って、汚液の粘度、混入異物の形状・比重が変化して分離除去能力が低下した場合には、汚液の粘度、混入異物の形状・比重の変化に応じて上記のように内筒８及び中間筒９の半径方向の位置を変更させることにより液の粘度、混入異物の形状・比重に対応した適正な遠心力が得られる。
【００１９】
よって、本発明のサイクロン濾過装置によれば、所定の分離除去能力を持ったサイクロン濾過装置に変更することなく一基のサイクロン濾過装置により汚液の粘度、混入異物の形状・比重の変化に応じて追従できる汎用性を有し、サイクロン濾過装置の交換作業の廃止とコスト低減の利点を有しているのである。
【図面の簡単な説明】
【００２０】
【図１】本発明装置の縦断面図
【図２】円筒部の横断面図
【図３】内筒及び中間筒の構成を示す一部斜視図
【図４】内筒及び中間筒の半径方向に位置可変構造を示す縦断面図
【図５】上敷居板を示す図
【図６】下敷居板を示す図
【図７】従来装置の縦断面図
【図８】従来装置の円筒部の横断面図
【符号の説明】
【００２１】
１    サイクロン筒
２    外筒
３    円錐筒
４    異物の取り出し口
５    汚液注入口
６    上蓋濾過液流出口
７    濾過液流出口
８    内筒
８ａ  流通隙間
９    中間筒
９ａ  流通隙間
１０    リング
１１    コイルバネ
１２    上敷居円板
１２ａ  円溝
１３    下敷居円板
１３ａ  円溝
１４    ロッド
１５    フランジ
【図１】
2007054677.tif 000003
【図２】
2007054677.tif 000004
【図３】
2007054677.tif 000005
【図４】
2007054677.tif 000006
【図５】
2007054677.tif 000007
【図６】
2007054677.tif 000008
【図７】
2007054677.tif 000009
【図８】
2007054677.tif 000010